(57)【要約】【課題】回収処理により貯留庫に排出された金銭と、回収処理以外の処理により貯留庫に排出された金銭とが混ざり合うのを抑制することが可能な金銭処理装置を提供する。【解決手段】この硬貨理装置１００は、入金口１０１から入金された硬貨Ｋ１を金種別に収納する収納庫４と、収納庫４から繰り出された金銭を装置外部に排出する出金口１０３と、筐体１００ａに対して装着可能に設けられ、収納庫４から繰り出された硬貨Ｋ１を装置内部で貯留する貯留庫１０６と、出金口１０３および貯留庫１０６の上流側に配置され、収納庫４から繰り出された硬貨Ｋ１の搬送先を出金口１０３および貯留庫１０６の一方に切り換える第１出金切換ゲート５ｂと、収納庫４から硬貨Ｋ１が貯留庫１０６に排出され、貯留庫１０６からの硬貨Ｋ１の回収が完了したことを検知する回収処理完了検知部８４とを備える。【選択図】図３
2019128913.tif 000002
【特許請求の範囲】
【請求項１】
入金口から入金された金銭を金種別に収納する収納庫と、
前記収納庫から繰り出された金銭を装置外部に排出する出金口と、
装置本体に対して装着可能に設けられ、前記収納庫から繰り出された金銭を装置内部で貯留する貯留庫と、
前記出金口および前記貯留庫の上流側に配置され、前記収納庫から繰り出された金銭の搬送先を前記出金口および前記貯留庫の一方に切り換える切換ゲートと、
前記収納庫から金銭が前記貯留庫に排出され、前記貯留庫からの金銭の回収が完了したことを検知する回収処理完了検知部とを備える、金銭処理装置。
【請求項２】
前記回収処理完了検知部は、前記貯留庫内に金銭が残留しているか否かを検知する残留検知部を含む、請求項１に記載の金銭処理装置。
【請求項３】
前記回収処理完了検知部は、前記貯留庫が金銭を貯留する装着位置に位置することを検知する装着検知部を含む、請求項１または２に記載の金銭処理装置。
【請求項４】
回収処理を行う制御部をさらに備え、
前記制御部は、前記回収処理において、前記収納庫から金銭を前記貯留庫に排出するとともに、前記回収処理完了検知部により、前記貯留庫が前記装置本体の装着位置に装着され、かつ、前記貯留庫に金銭がないことが検知されたことに基づいて、前記回収処理が完了したと判断するように構成されている、請求項１〜３のいずれか１項に記載の金銭処理装置。
【請求項５】
前記制御部は、
前記回収処理とは別に、オーバーフロー処理を行うように構成され、
前記オーバーフロー処理において、前記収納庫に収納された金銭が略満杯となるような第１枚数以上に達した場合に、前記第１枚数以上に達した金種の金銭を、前記収納庫から前記貯留庫に排出することにより前記オーバーフロー処理が完了したと判断するように構成されている、請求項４に記載の金銭処理装置。
【請求項６】
前記収納庫の上流側に配置され、前記入金口に入金された金銭の金種を判別するとともに、判別した金銭を計数する判別計数部をさらに備え、
前記制御部は、前記判別計数部において計数した金銭を前記収納庫に収納すると、前記収納庫に収納されている金銭が前記第１枚数よりも多い所定の第２枚数以上になる場合に、前記収納庫を介することなく前記貯留庫に金銭を排出するように構成されている、請求項５に記載の金銭処理装置。
【請求項７】
前記制御部は、
前記回収処理とは別に、オーバーフロー処理を行うように構成され、
前記オーバーフロー処理において、指定された所定枚数の金種の金銭を、前記収納庫から前記貯留庫に排出することにより前記オーバーフロー処理が完了したと判断するように構成されている、請求項４に記載の金銭処理装置。
【請求項８】
前記収納庫からの金銭の繰り出しを開始してから、前記貯留庫からの金銭の回収が完了したことを前記回収処理完了検知部が検知するまでの間に渡って、前記回収処理に関する所定の表示を行う表示部をさらに備える、請求項４〜７のいずれか１項に記載の金銭処理装置。
【発明の詳細な説明】
【技術分野】
【０００１】
この発明は、金銭処理装置に関し、特に、金銭を金種別に収納する収納庫を備える金銭処理装置に関する。
【背景技術】
【０００２】
従来、金銭を金種別に収納する収納庫を備える金銭処理装置が知られている（たとえば、特許文献１参照）。
【０００３】
上記特許文献１には、収納庫と、出金口と、貯留庫と、切換ゲートとを備える金銭処理装置が開示されている。切換ゲートは、収納庫から繰り出された金銭の搬送先を出金口および貯留庫の一方に切り換えるように構成されている。金銭処理装置は、貯留庫への硬貨の収納枚数が略満杯となった場合に、貯留庫に硬貨を排出する（オーバーフロー処理を行う）ように構成されている。また、金銭処理装置は、貯留庫から装置外部に金銭を回収する場合に、貯留庫に硬貨を排出する（回収処理を行う）ように構成されている。ここで、上記特許文献１には明記されていないが、通常、回収処理、および、回収処理以外の貯留庫に金銭を排出する処理は、共に、貯留庫に硬貨を排出することにより完了する。
【先行技術文献】
【特許文献】
【０００４】
【特許文献１】特許第５１６３２２５号公報
【発明の概要】
【発明が解決しようとする課題】
【０００５】
しかしながら、上記特許文献１のような金銭処理装置において、回収処理、および、回収処理以外の貯留庫に金銭を排出する処理では、共に、貯留庫に硬貨を排出することにより完了するため、回収処理において金銭を取り出さなかった場合に、異なる処理で排出された硬貨が貯留庫内で互いに混ざり合ってしまうという問題点がある。
【０００６】
この発明は、上記のような課題を解決するためになされたものであり、この発明の１つの目的は、回収処理により貯留庫に排出された金銭と、回収処理以外の処理により貯留庫に排出された金銭とが混ざり合うのを抑制することが可能な金銭処理装置を提供することである。
【課題を解決するための手段】
【０００７】
上記目的を達成するために、この発明の一の局面による金銭処理装置は、入金口から入金された金銭を金種別に収納する収納庫と、収納庫から繰り出された金銭を装置外部に排出する出金口と、装置本体に対して装着可能に設けられ、収納庫から繰り出された金銭を装置内部で貯留する貯留庫と、出金口および貯留庫の上流側に配置され、収納庫から繰り出された金銭の搬送先を出金口および貯留庫の一方に切り換える切換ゲートと、収納庫から金銭が貯留庫に排出され、貯留庫からの金銭の回収が完了したことを検知する回収処理完了検知部とを備える。
【０００８】
上記一の局面による金銭処理装置では、上記のように、収納庫から金銭が貯留庫に排出され、貯留庫からの金銭の回収が完了したことを検知する回収処理完了検知部を設ける。これにより、回収処理完了検知部によって、貯留庫からの金銭の回収が完了した状態を金銭処理装置が認識することができるので、貯留庫からの金銭の回収が完了したことに基づいて回収処理を完了させることができる。その結果、回収処理により貯留庫に排出された金銭と、回収処理以外の処理により貯留庫に排出された金銭とが混ざり合うのを抑制することができる。
【０００９】
上記一の局面による金銭処理装置において、好ましくは、回収処理完了検知部は、貯留庫内に金銭が残留しているか否かを検知する残留検知部を含む。このように構成すれば、残留検知部により、回収処理を開始する時点で、貯留庫に金銭が残留している状態が発生することを防止することができる。また、残留検知部により、貯留庫内に金銭が残留していることを検知することができるので、貯留庫内に金銭がない状態で回収処理を完了することができる。その結果、回収処理により貯留庫に排出された金銭と、回収処理以外の処理により貯留庫に排出された金銭とが混ざり合うのを防止することができる。すなわち、回収処理における貯留庫からの金銭の回収漏れを防止することができる。
【００１０】
上記一の局面による金銭処理装置において、好ましくは、回収処理完了検知部は、貯留庫が金銭を貯留する装着位置に位置することを検知する装着検知部を含む。このように構成すれば、装着検知部により、貯留庫が装着位置にない状態で回収処理が完了するのを防止することができる。その結果、次回の回収処理などにおいて、収納庫から繰り出された金銭を、確実に貯留庫内に排出して貯留することができる。
【００１１】
上記一の局面による金銭処理装置において、好ましくは、回収処理を行う制御部をさらに備え、制御部は、回収処理において、収納庫から金銭を貯留庫に排出するとともに、回収処理完了検知部により、貯留庫が装置本体の装着位置に装着され、かつ、貯留庫に金銭がないことが検知されたことに基づいて、回収処理が完了したと判断するように構成されている。このように構成すれば、制御部による制御の下、回収処理により貯留庫に排出された金銭と、回収処理以外の処理により貯留庫に排出された金銭とが混ざり合うのを防止することができるとともに、貯留庫が装着位置にない状態で回収処理が完了するのを防止することができる。
【００１２】
この場合、好ましくは、制御部は、回収処理とは別に、オーバーフロー処理を行うように構成され、オーバーフロー処理において、収納庫に収納された金銭が略満杯となるような第１枚数以上に達した場合に、第１枚数以上に達した金種の金銭を、収納庫から貯留庫に排出することによりオーバーフロー処理が完了したと判断するように構成されている。このように構成すれば、制御部による制御の下、オーバーフロー処理を回収処理とは異なるタイミングで完了させることができる。すなわち、貯留庫から金銭が回収されたことに基づいて完了する回収処理とは異なり、オーバーフロー処理では、貯留庫に金銭を残した状態で処理を完了させることができる。
【００１３】
上記制御部が回収処理とは別にオーバーフロー処理を行う構成において、好ましくは、収納庫の上流側に配置され、入金口に入金された金銭の金種を判別するとともに、判別した金銭を計数する判別計数部をさらに備え、制御部は、判別計数部において計数した金銭を収納庫に収納すると、収納庫に収納されている金銭が第１枚数よりも多い所定の第２枚数以上になる場合に、収納庫を介することなく貯留庫に金銭を排出するように構成されている。このように構成すれば、第１枚数を超える金銭が収納庫に収納されること、または、収納庫の収納可能な限度を超えるような金銭が収納庫に搬送されるのを防止することができる。
【００１４】
上記制御部をさらに備える構成において、好ましくは、制御部は、回収処理とは別に、オーバーフロー処理を行うように構成され、オーバーフロー処理において、指定された所定枚数の金種の金銭を、収納庫から貯留庫に排出することによりオーバーフロー処理が完了したと判断するように構成されている。このように構成すれば、制御部による制御の下、オーバーフロー処理を回収処理とは異なるタイミングで完了させることができる。また、収納庫から貯留庫に金銭を排出する途中でオーバーフロー処理が完了するのを防止することができる。
【００１５】
上記回収処理を行う制御部を備える構成において、好ましくは、収納庫からの金銭の繰り出しを開始してから、貯留庫からの金銭の回収が完了したことを回収処理完了検知部が検知するまでの間に渡って、回収処理に関する所定の表示を行う表示部をさらに備える。このように構成すれば、表示部により、回収処理が完了していないことをユーザが容易に把握することができる。
【発明の効果】
【００１６】
本発明によれば、上記のように、回収処理により貯留庫に排出された金銭と、回収処理以外の処理により貯留庫に排出された金銭とが混ざり合うのを抑制することができる。
【図面の簡単な説明】
【００１７】
【図１】本発明の第１実施形態による金銭処理装置を示した斜視図である。
【図２】本発明の第１実施形態による金銭処理装置の構成を説明するための模式的な図である。
【図３】本発明の第１実施形態による金銭処理装置が行う出金処理について説明するための模式的な一部破断の断面図である。
【図４】本発明の第１実施形態による金銭処理装置が行うオーバーフロー処理および回収処理について説明するための模式的な一部破断の断面図である。
【図５】本発明の第１実施形態による金銭処理装置の表示部の表示について説明するための図である。
【図６】本発明の第１実施形態の金銭処理装置の制御部による出金処理、オーバーフロー処理および回収処理のフローチャートである。
【図７】本発明の第２実施形態による金銭処理装置の構成を説明するための模式的な図である。
【発明を実施するための形態】
【００１８】
以下、本発明を具体化した実施形態を図面に基づいて説明する。
【００１９】
［第１実施形態］
（硬貨処理装置の全体構成）
まず、図１および図２を参照して、本発明の第１実施形態による硬貨処理装置（釣銭機）１００の全体構成について説明する。なお、硬貨処理装置１００は、特許請求の範囲の「金銭処理装置」の一例である。
【００２０】
図１に示す第１実施形態による硬貨処理装置１００は、上位機器であり入金確定などの操作を受け付けるＰＯＳ（ｐｏｉｎｔ  ｏｆ  ｓａｌｅｓ  ｓｙｓｔｅｍ）レジスタ装置Ｒ（図２参照）などに接続可能に構成され、スーパーマーケットや、コンビニエンスストアなどの店舗に設置されて、ＰＯＳシステムの一部を構築する装置である。硬貨処理装置１００は、顧客が自ら会計を行う使用状態（セルフ使用状態）または販売者（管理者）が会計などを行う使用状態で用いられる。
【００２１】
ＰＯＳレジスタ装置Ｒは、硬貨処理装置１００を駆動させるために、硬貨処理装置１００に対して各種信号を送信するように構成されている。たとえば、ＰＯＳレジスタ装置Ｒは、ＰＯＳレジスタ装置Ｒに対する所定操作に基づいて、硬貨処理装置１００において行われる回収処理のトリガーとなる信号を硬貨処理装置１００に送信するように構成されている。また、ＰＯＳレジスタ装置Ｒは、ＰＯＳレジスタ装置Ｒに対する所定操作に基づいて、硬貨処理装置１００において行われるオーバーフロー処理のトリガーとなる信号を硬貨処理装置１００に送信するように構成されている。
【００２２】
硬貨処理装置１００は、箱状の筐体１００ａを備えている。筐体１００ａには、入金口１０１と、返金口１０２と、出金口１０３と、操作部１０４と、表示部１０５と、貯留庫１０６とが設けられている。貯留庫１０６は、筐体１００ａ（硬貨処理装置１００）に装着可能に設けられている。なお、筐体１００ａは、特許請求の範囲の「装置本体」の一例である。
【００２３】
また、図２に示すように、硬貨処理装置１００は、入金口搬送部１と、検銭部１ａと、入金切換ゲート１ｂと、一時保留部２と、収納切換ゲート２ａと、振分部３と、収納庫４と、出金搬送部５と、第１出金切換ゲート５ａと、第２出金切換ゲート５ｂと、記憶部６と、制御部７と、を備えている。なお、検銭部１ａは、特許請求の範囲の「判別計数部」の一例である。第２出金切換ゲート５ｂは、特許請求の範囲の「切換ゲート」の一例である。
【００２４】
収納庫４は、１円の硬貨Ｋ１を収納する１円収納庫４１と、５０円の硬貨Ｋ１を収納する５０円収納庫４２と、５円の硬貨Ｋ１を収納する５円収納庫４３と、１００円の硬貨Ｋ１を収納する１００円収納庫４４と、１０円の硬貨Ｋ１を収納する１０円収納庫４５と、５００円の硬貨Ｋ１を収納する５００円収納庫４６とを含んでいる。なお、硬貨Ｋ１は特許請求の範囲の「金銭」の一例である。
【００２５】
また、硬貨処理装置１００は、収納計数部８１と、繰出計数部８２と、排出計数部８３と、残留検知部８４ａ（図３参照）および装着検知部８４ｂ（図３参照）を含む回収処理完了検知部８４（図３参照）とを備えている。
【００２６】
硬貨処理装置１００は、入金処理、出金処理、回収処理およびオーバーフロー処理を行うように構成されている。
【００２７】
入金処理とは、入金口搬送部１、一時保留部２および振分部３により、入金口１０１から入金された硬貨Ｋ１を収納庫４まで搬送して、収納庫４に収納する処理である。
【００２８】
図３に示すように、出金処理とは、収納庫４に収納されている硬貨Ｋ１を繰り出して、出金搬送部５により、硬貨処理装置１００の外部（出金口１０３）に排出する処理である。
【００２９】
図４に示すように、回収処理とは、収納庫４に収納されている一部またはすべての硬貨Ｋ１を繰り出して、出金搬送部５により、貯留庫１０６に排出するとともに、貯留庫１０６が取り外された後（引き出された後）、空の貯留庫１０６が筐体１００ａ（硬貨処理装置１００）に装着されることにより完了する処理である。なお、貯留庫１０６が筐体１００ａに装着されるとは、取り外された貯留庫１０６が硬貨Ｋ１を貯留する装着位置（貯留庫１０６が収納庫４から硬貨Ｋ１を受取可能な所定位置）に配置されることを意味する。貯留庫１０６が装着位置に位置することは、装着検知部８４ｂにより検知される。また、貯留庫１０６が空であること（貯留庫１０６内に硬貨Ｋ１が残留していないこと）は、残留検知部８４ａにより検知される。なお、回収処理は、通常、精算時に行われる。
【００３０】
オーバーフロー処理とは、収納庫４（１円収納庫４１、５０円収納庫４２、５円収納庫４３、１００円収納庫４４、１０円収納庫４５および５００円収納庫４６のいずれか）に収納された硬貨Ｋ１が略満杯になるような第１枚数（ニアフル枚数）以上に達した場合に、第１枚数以上に達した金種の硬貨Ｋ１を収納庫４から繰り出して、出金搬送部５により、貯留庫１０６に排出する処理である。一例ではあるが、１円収納庫４１、５０円収納庫４２、５円収納庫４３、１００円収納庫４４、１０円収納庫４５および５００円収納庫４６のオーバーフロー枚数は、それぞれ、１６０枚、１３０枚、１３０枚、１６０枚、１６０枚および１３０枚である。また、一例ではあるが、１円収納庫４１、５０円収納庫４２、５円収納庫４３、１００円収納庫４４、１０円収納庫４５および５００円収納庫４６の最大収納枚数は、それぞれ、１４０枚、１１０枚、１１０枚、１４０枚、１４０枚および１１０枚である。また、一例ではあるが、オーバーフロー処理により収納庫４から繰り出される硬貨Ｋ１の枚数は、オーバーフロー処理後の各収納庫４の収納枚数が、各収納庫４の最大収納枚数の半分以下の枚数になるように設定される。なお、ユーザーによる操作部１０４の操作やＰＯＳレジスタ装置Ｒの操作により、第１枚数（ニアフル枚数）以上に達していない任意のタイミングでも、オーバーフロー処理を開始することは可能である。また、オーバーフロー処理は、通常、営業時間中に行われる。
【００３１】
（硬貨処理装置の各部の構成）
図１に示すように、入金口１０１は、硬貨Ｋ１を硬貨処理装置１００の内部に入金するための入口部分である。入金口１０１は、複数枚の硬貨Ｋ１を同時に入金することが可能に構成されている。
【００３２】
返金口１０２は、返却用の硬貨Ｋ１を硬貨処理装置１００の外部に排出するための出口部分である。返却用の硬貨Ｋ１とは、精算前に入金がキャンセルされた場合に、顧客に返すための硬貨Ｋ１であり、入金された硬貨Ｋ１そのものである。
【００３３】
出金口１０３は、少なくとも、収納庫４から繰り出された釣銭用の硬貨Ｋ１を装置外部（筐体１００ａの外部）に排出するための出口部分である。すなわち、出金口１０３には、少なくとも、出金処理の際に硬貨Ｋ１が排出される。また、出金口１０３には、検銭部１ａにおいて正貨でないと判断された媒体も排出される。
【００３４】
なお、釣銭用の硬貨Ｋ１とは、入金された金額から商品価格を差し引いた金額分の硬貨Ｋ１である。釣銭用の硬貨Ｋ１は、収納庫４から繰り出される。
【００３５】
図２に示すように、操作部１０４は、硬貨処理装置１００に対する各種操作を受け付ける複数のボタンを有している。たとえば、操作部１０４は、回収処理のトリガーとなる信号を生成するボタンや、オーバーフロー処理のトリガーとなる信号を生成するボタンを有している。
【００３６】
図１に示す表示部１０５は、たとえば、液晶パネルにより構成されている。表示部１０５は、回収処理（入金処理、出金処理、オーバーフロー処理）を行っている際に、入金処理（出金処理、回収処理、オーバーフロー処理）中である旨を表示するように構成されている。
【００３７】
すなわち、図４に示すように、表示部１０５（図１参照）は、収納庫４から硬貨Ｋ１の繰り出しを開始してから、回収処理完了検知部８４（残留検知部８４ａおよび装着検知部８４ｂ）が貯留庫１０６からの硬貨Ｋ１の回収が完了したことを検知するまでの間に渡って、回収処理に関する所定の表示を行うように構成されている。たとえば、表示部１０５は、回収処理を行っている間、「回収処理中」（図５参照）と表示するように構成されている。
【００３８】
また、表示部１０５は、回収処理において硬貨Ｋ１を貯留庫１０６に排出している間は、硬貨Ｋ１を排出している旨を表示するように構成されている。また、表示部１０５は、回収処理において硬貨Ｋ１を管理者が取り出している間（硬貨Ｋ１の排出完了後から、装着検知部８４ｂが装着位置にある貯留庫１０６を検知して、かつ、残留検知部８４ａが貯留庫１０６に硬貨Ｋ１の残留がないことを検知するまでの間）は、硬貨Ｋ１を取り出している旨を表示するように構成されている。回収処理において硬貨Ｋ１を取り出している間（貯留庫１０６が装着位置にない間）であるか否かは、装着検知部８４ｂの検知結果に基づいて制御部７により判断される。詳細については後述する。
【００３９】
また、表示部１０５は、入金処理（出金処理、回収処理、オーバーフロー処理）が完了した際には、入金処理（出金処理、回収処理、オーバーフロー処理）が完了した旨（終了レスポンス応答）を表示するように構成されている。
【００４０】
図２に示すように、貯留庫１０６は、硬貨処理装置１００の下方側に設けられている。貯留庫１０６は、入金口１０１、返金口１０２、出金口１０３、操作部１０４および表示部１０５よりも下方に設けられている。また、貯留庫１０６は、振分部３、収納庫４、出金搬送部５および第２出金切換ゲート５ｂよりも下方に設けられている。
【００４１】
図４に示すように、貯留庫１０６は、上方が開放された箱形状を有している。貯留庫１０６は、筐体１００ａから前方（収納庫４側から出金口１０３側に向かう方向）（Ｘ１方向）に引出可能に構成されている。貯留庫１０６は、前方に引き出された状態で、管理者により硬貨Ｋ１が取り出される（回収される）ことによって、空になる（内部に残留している硬貨Ｋ１がなくなる）。なお、貯留庫１０６は、筐体１００ａから取り外して、他の空の貯留庫１０６と交換することも可能である。
【００４２】
貯留庫１０６は、収納庫４から繰り出された硬貨Ｋ１を装置内部で貯留するように構成されている。詳細には、筐体１００ａには、出金搬送部５の第２出金切換ゲート５ｂが設けられる部分と、貯留庫１０６が配置される空間とを連通する上下方向に延びる連通路（連通経路）１００ｂが設けられている。硬貨処理装置１００は、連通路１００ｂを介して、収納庫４から繰り出された硬貨Ｋ１を、貯留庫１０６の上方の開放部分から貯留庫１０６内に投入して貯留するように構成されている。すなわち、収納庫４から繰り出された硬貨Ｋ１は、落下により、出金搬送部５から貯留庫１０６内に移動される。
【００４３】
貯留庫１０６には、前面側に鍵部（図示せず）が設けられており、鍵部により筐体１００ａに対する貯留庫１０６の装着位置を保持するように構成されている。すなわち、硬貨処理装置１００は、管理者のみが貯留庫１０６を引き出して、硬貨Ｋ１を取り出すことが可能なように構成されている。
【００４４】
図２に示すように、入金口搬送部１は、入金口１０１から入金された硬貨Ｋ１を、一時保留部２または出金搬送部５に搬送するように構成されている。一例ではあるが、入金口搬送部１は、硬貨Ｋ１を搬送する機構として、ベルト機構を有している。
【００４５】
検銭部１ａは、入金口搬送部１に設けられている。検銭部１ａは、入金口１０１に入金された硬貨Ｋ１の金種、および、正貨（１円硬貨、５円硬貨、１０円硬貨、５０円硬貨、１００円硬貨、５００円硬貨）であるか否かを判断するように構成されている。また、検銭部１ａは、硬貨Ｋ１の入金枚数を金種別に計数可能に構成されている。
【００４６】
入金切換ゲート１ｂは、検銭部１ａよりも下流側で、入金口搬送部１の硬貨Ｋ１の出口部分に設けられている。入金切換ゲート１ｂは、入金口１０１から投入された媒体（硬貨Ｋ１）の搬送先を、一時保留部２および出金搬送部５の一方に切り換えるように構成されている。
【００４７】
入金切換ゲート１ｂは、検銭部１ａにおいて媒体が正貨でないと判断された場合には、媒体が出金搬送部５に搬送されるように、搬送先を切り換えるように構成されている。詳細には、媒体は、出金搬送部５に設けられる第１出金切換ゲート５ａの下流側で、かつ、第２出金切換ゲート５ｂの上流側に搬送される。なお、媒体が入金口搬送部１から出金搬送部５に搬送される場合には、第２出金切換ゲート５ｂは、媒体の搬送先を、出金口１０３に切り換えるように構成されている。
【００４８】
一方、入金切換ゲート１ｂは、検銭部１ａにおいて媒体が正貨であると判断された場合には、硬貨Ｋ１が一時保留部２に搬送されるように、搬送先を切り換えるように構成されている。例外的に、検銭部１ａにおいて媒体が正貨であると判断された場合でも、一時保留部２を介して収納庫４に硬貨Ｋ１が収納されない場合がある。具体的には、検銭部１ａにおいて検査した硬貨Ｋ１を収納庫４に収納すると、収納庫４に収納されている硬貨Ｋ１が第１枚数（ニアフル枚数）よりも多い所定の第２枚数以上になる場合に、収納庫４を介することなく貯留庫１０６に硬貨Ｋ１を排出する。すなわち、入金切換ゲート１ｂは、硬貨Ｋ１が出金搬送部５に搬送されるように、搬送先を切り換える。
【００４９】
たとえば、硬貨Ｋ１の１円収納庫４１の最大収納枚数が１９５枚であり、硬貨Ｋ１の１円収納庫４１の第１枚数が１９０枚であり、第２枚数が１９１枚であるとする。また、現在の硬貨Ｋ１の１円収納庫４１の収納枚数が１８９枚であるとする。この状態で７枚の１円の硬貨Ｋ１が入金口１０１から投入された場合、硬貨処理装置１００は、１枚の硬貨Ｋ１を１円収納庫４１に収納し、残りの６枚の硬貨Ｋ１を収納庫４を介することなく出金搬送部５に搬送するように構成されている。この他、硬貨処理装置１００は、７枚の硬貨Ｋ１のすべてを、収納庫４を介することなく出金搬送部５に搬送するように構成されていてもよい。
【００５０】
図２に示すように、一時保留部２は、入金処理中の入金確定前（ＰＯＳレジスタ装置Ｒにおいて入金確定の操作が行われる前）に、一時的に、入金口１０１から入金された硬貨Ｋ１を保留するように構成されている。また、一時保留部２は、一時的に保留した硬貨Ｋ１を、振分部３または返金口１０２に搬送するように構成されている。一例ではあるが、一時保留部２は、硬貨Ｋ１を搬送する機構として、ベルト機構を有している。なお、入金確定とは、入金口１０１から入金された硬貨Ｋ１を一時保留部２に保留している状態から、収納庫４に収納（搬送）することを、確定することを意味する。
【００５１】
一時保留部２は、第１出金切換ゲート５ａの切り換えにより、収納庫４から繰り出された硬貨Ｋ１を搬送する出金搬送部５から硬貨Ｋ１を受け取り可能に構成されている。
【００５２】
収納切換ゲート２ａは、一時保留部２の硬貨Ｋ１の出口部分に設けられている。収納切換ゲート２ａは、一時保留部２に一時的に保留された硬貨Ｋ１の搬送先を、振分部３および返金口１０２の一方に切り換えるように構成されている。
【００５３】
図２に示すように、振分部３は、一時保留部２から搬送された硬貨Ｋ１を金種別に振り分けて収納庫４に収納（搬送）するように構成されている。一例ではあるが、振分部３は、硬貨Ｋ１を搬送する機構として、ベルト機構を有している。
【００５４】
詳細には、振分部３は、硬貨Ｋ１を搬送する途中において、硬貨Ｋ１を金種別に、１円収納庫４１、５０円収納庫４２、５円収納庫４３、１００円収納庫４４、１０円収納庫４５、および、５００円収納庫４６に振り分けるように構成されている。たとえば、振分部３は、金種ごとの硬貨Ｋ１の大きさの違いを利用して、搬送経路上で硬貨Ｋ１を分離させることにより、硬貨Ｋ１を金種別に振り分けるように構成されている。
【００５５】
１円収納庫４１、５０円収納庫４２、５円収納庫４３、１００円収納庫４４、１０円収納庫４５および５００円収納庫４６は、それぞれ、互いに異なる所定の単一金種の硬貨Ｋ１を収納するように構成されている。収納庫４（４１〜４６）の収納数は、収納計数部８１と、繰出計数部８２などを用いて制御部７により金種別に管理されている。また、１円収納庫４１、５０円収納庫４２、５円収納庫４３、１００円収納庫４４、１０円収納庫４５および５００円収納庫４６は、出金時などにおいて、硬貨Ｋ１を金種別に出金搬送部５に繰り出す（搬出する）ように構成されている。一例ではあるが、収納庫４（４１〜４６）は、それぞれ、硬貨Ｋ１を繰り出す機構として、ベルト機構を有している。
【００５６】
図２に示すように、出金搬送部５は、収納庫４から繰り出された硬貨Ｋ１を、出金口１０３、貯留庫１０６または一時保留部２に搬送するように構成されている。一例ではあるが、出金搬送部５は、硬貨Ｋ１を搬送する機構として、ベルト機構を有している。
【００５７】
第１出金切換ゲート５ａは、出金搬送部５の硬貨Ｋ１の出口部分に設けられている。第１出金切換ゲート５ａは、収納庫４から繰り出された硬貨Ｋ１の搬送先を、一時保留部２（一時保留部２側の経路）と、出金口１０３および貯留庫１０６側（出金口１０３および貯留庫１０６側の経路）との一方に切り換えるように構成されている。
【００５８】
第２出金切換ゲート５ｂは、第１出金切換ゲート５ａの下流側に配置されている。第２出金切換ゲート５ｂは、出金口１０３および貯留庫１０６（筐体１００ａの連通路１００ｂ）の上流側に配置されている。第２出金切換ゲート５ｂは、収納庫４から繰り出され、出金搬送部５により搬送される硬貨Ｋ１の搬送先を出金口１０３および貯留庫１０６（連通路１００ｂ）の一方に切り換えるように構成されている。
【００５９】
収納計数部８１は、振分部３の硬貨Ｋ１の出口部分で、かつ、１円収納庫４１、５０円収納庫４２、５円収納庫４３、１００円収納庫４４、１０円収納庫４５、および、５００円収納庫４６のそれぞれの硬貨Ｋ１の入口部分の近傍に設けられている。収納計数部８１は、収納庫４（４１〜４６）に振り分けられる硬貨Ｋ１の金種別の振分枚数を計数するように構成されている。収納計数部８１は、振分枚数を計数できるならば、透過型フォトセンサ、反射型フォトセンサ、コイル型センサなどのいかなる方式のセンサであってもよい。
【００６０】
繰出計数部８２は、出金搬送部５の硬貨Ｋ１の入口部分で、かつ、１円収納庫４１、５０円収納庫４２、５円収納庫４３、１００円収納庫４４、１０円収納庫４５、および、５００円収納庫４６のそれぞれの硬貨Ｋ１の出口部分の近傍に設けられている。繰出計数部８２は、収納庫４（４１〜４６）からの硬貨Ｋ１の金種別の繰出枚数を計数するように構成されている。繰出計数部８２は、硬貨Ｋ１の繰出枚数を計数できるならば、透過型フォトセンサ、反射型フォトセンサ、コイル型センサなどのいかなる方式のセンサであってもよい。
【００６１】
排出計数部８３は、第２出金切換ゲート５ｂと貯留庫１０６とを繋ぐ硬貨Ｋ１の１０４搬送経路の途中に設けられている。排出計数部８３は、貯留庫１０６内に排出される硬貨Ｋ１の枚数を計数するように構成されている。排出計数部８３は、硬貨Ｋ１の排出枚数を計数できるならば、透過型フォトセンサ、反射型フォトセンサ、コイル型センサなどのいかなる方式のセンサであってもよい。
【００６２】
硬貨処理装置１００（制御部７）は、排出計数部８３により計数された総排出枚数と、繰出計数部８２により計数された総繰出枚数との一致を確認した上で、収納庫４の総収納枚数を管理するように構成されている。また、硬貨処理装置１００（制御部７）は、排出計数部８３により計数された総排出枚数と、繰出計数部８２により計数された総繰出枚数とが一致した時点で、貯留庫１０６への硬貨Ｋ１の排出が完了したと判断するように構成されている。そして、硬貨処理装置１００（制御部７）は、排出計数部８３により計数された総排出枚数と、繰出計数部８２により計数された総繰出枚数とが一致した時点で、オーバーフロー処理が完了したと判断する。
【００６３】
図４に示す回収処理完了検知部８４は、収納庫４から硬貨Ｋ１が貯留庫１０６に排出され、貯留庫１０６からの硬貨Ｋ１の回収が完了したことを検知するように構成されている。要するに、回収処理完了検知部８４は、回収処理の完了を検知するための検知部である。回収処理完了検知部８４が回収処理の完了を検知するまでの間、表示部１０５（図１参照）は、回収処理を行っている旨を継続して表示するように構成されている。
【００６４】
残留検知部８４ａは、貯留庫１０６内に硬貨Ｋ１が残留しているか否かを検知するように構成されている。すなわち、残留検知部８４ａは、貯留庫１０６内の硬貨Ｋ１の有無を検知するように構成されている。残留検知部８４ａは、貯留庫１０６内に硬貨Ｋ１が残留しているか否かを検知可能であるならば、いかなる方式の検知部であってもよい。具体例として、残留検知部８４ａは、貯留庫１０６の下面に設けられるコイル部（図示せず）を含み、硬貨Ｋ１が上側に配置されたことを磁力により検知するように構成されている。残留検知部８４ａは、貯留庫１０６および筐体１００ａのいずれに設けられていてもよい。
【００６５】
装着検知部８４ｂは、貯留庫１０６が硬貨Ｋ１を貯留する装着位置に位置することを検知するように構成されている。装着位置とは、筐体１００ａ内における貯留庫１０６の配置位置であり、貯留庫１０６の全体が筐体１００ａ内に収容された位置である。また、装着位置とは、貯留庫１０６内に硬貨Ｋ１が排出される際の位置でもある。
【００６６】
装着検知部８４ｂは、筐体１００ａ内の後方側端部近傍に設けられている。装着検知部８４ｂは、貯留庫１０６が装着位置に位置することを検知可能であるならば、いかなる方式の検知部であってもよい。具体例として、装着検知部８４ｂは、装着検知部８４ｂと貯留庫１０６との接触状態を取得可能な検知部であってもよい。この他、装着検知部８４ｂは、装着検知部８４ｂと貯留庫１０６との間の距離を測定可能な検知部であってもよい。
【００６７】
記憶部６は、収納計数部８１、繰出計数部８２、排出計数部８３によりそれぞれ計数される硬貨Ｋ１の枚数情報を記憶するように構成されている。また、記憶部６は、第１枚数および第２枚数の設定情報を記憶するように構成されている。また、記憶部６は、オーバーフロー処理および回収処理の際に繰り出される金種ごとの硬貨Ｋ１の枚数の設定情報を記憶するように構成されている。なお、記憶部６に記憶されている各種設定情報は、硬貨処理装置１００の操作部１０４に対する操作、または、ＰＯＳレジスタ装置Ｒに対する操作に基づいて、変更可能である。
【００６８】
制御部７は、ＣＰＵおよびメモリを含み、硬貨処理装置１００各部の駆動を制御するように構成されている。
【００６９】
制御部７は、回収処理を行うように構成されている。制御部７は、回収処理において、収納庫４から硬貨Ｋ１を貯留庫１０６に排出するとともに、回収処理完了検知部８４により、貯留庫１０６が筐体１００ａの装着位置に装着され、かつ、貯留庫１０６に硬貨Ｋ１がないことが検知されたことに基づいて、回収処理が完了したと判断するように構成されている。
【００７０】
制御部７は、オーバーフロー処理を行うように構成されている。制御部７は、オーバーフロー処理において、収納庫４に収納された硬貨Ｋ１が略満杯となるような第１枚数以上に達した場合に、第１枚数以上に達した金種の硬貨Ｋ１を、収納庫４から貯留庫１０６に排出することによりオーバーフロー処理が完了したと判断するように構成されている。
【００７１】
制御部７は、検銭部１ａにおいて検査した金銭を収納庫４に収納すると、収納庫４に収納されている硬貨Ｋ１が第１枚数よりも多い所定の第２枚数以上になる場合に、収納庫４を介することなく貯留庫１０６に硬貨Ｋ１を排出するように構成されている。
【００７２】
（出金処理、オーバーフロー処理および回収処理の処理フロー）
次に、図６を参照して、制御部７による出金処理、オーバーフロー処理および回収処理の処理フローについて説明する。すなわち、制御部７による硬貨Ｋ１の繰出処理について説明する。各構成の符号については図２または図３を参照するものとする。なお、第１出金切換ゲート５ａは、一時保留部２側ではなく、出金口１０３および貯留庫１０６側に切り換えられている状態であるとする。
【００７３】
まず、ステップＳ１において、制御部７により、繰出処理が出金処理である場合には、ステップＳ２に処理が進むように判断され、繰出処理がオーバーフロー処理または回収処理である場合には、ステップＳ７に処理が進むように判断される。制御部７は、繰出処理が出金処理、オーバーフロー処理または回収処理のいずれかであるかを、操作部１０４からの信号またはＰＯＳレジスタ装置Ｒからの信号に基づいて判断する。なお、出金処理、オーバーフロー処理および回収処理が開始されてから完了するまでの間、表示部１０５には、それぞれ、出金処理、オーバーフロー処理および回収処理が行われている旨が表示される。
【００７４】
次に、ステップＳ２において、制御部７により、第２出金切換ゲート５ｂの搬送先が出金口１０３に切り換えられる。そして、ステップＳ３に処理が進む。
【００７５】
次に、ステップＳ３において、制御部７により、出金搬送部５が駆動される。そして、ステップＳ４に処理が進む。
【００７６】
次に、ステップＳ４において、制御部７により、収納庫４から釣り銭用の硬貨Ｋ１が繰り出される。そして、ステップＳ５に処理が進む。
【００７７】
次に、ステップＳ５において、制御部７により、収納庫４から繰り出したすべての硬貨Ｋ１の出金口１０３への排出が完了したか否かが判断される。繰り出したすべての硬貨Ｋ１の出金口１０３への排出が完了していない場合には、ステップＳ５が繰り返される。繰り出したすべての硬貨Ｋ１の出金口１０３への排出が完了した場合には、ステップＳ６に処理が進む。
【００７８】
次に、ステップＳ６において、制御部７により、硬貨Ｋ１の繰出処理（出金処理）が完了した旨が表示部１０５に表示される。以上で硬貨Ｋ１の繰出処理（出金処理）が完了する。
【００７９】
次に、ステップＳ７において、制御部７により、第２出金切換ゲート５ｂの搬送先が貯留庫１０６に切り換えられる。そして、ステップＳ８に処理が進む。
【００８０】
次に、ステップＳ８において、制御部７により、出金搬送部５が駆動される。そして、ステップＳ９に処理が進む。
【００８１】
次に、ステップＳ９において、制御部７により、収納庫４から釣り銭用の硬貨Ｋ１が繰り出される。なお、硬貨Ｋ１の金種別の繰出枚数は、ＰＯＳレジスタ装置Ｒの操作部（図示せず）または硬貨処理装置１００の操作部１０４から、処理毎に指示される枚数、もしくは、予め設定された枚数が繰り出される。そして、ステップＳ１０に処理が進む。
【００８２】
次に、ステップＳ１０において、制御部７により、収納庫４から繰り出したすべての硬貨Ｋ１の貯留庫１０６への排出が完了したか否かが判断される。繰り出したすべての硬貨Ｋ１の貯留庫１０６への排出が完了していない場合には、ステップＳ１０が繰り返される。なお、制御部７により、貯留庫１０６に貯留されている硬貨Ｋ１の枚数が、金種別で管理されている。すなわち、制御部７により、収納庫４から貯留庫１０６への搬送時において、貯留庫１０６へ搬送指示した金種および枚数が、貯留庫１０６で管理している（貯留庫１０６に貯留されている）各金種および枚数に、遂次加算される。また、貯留庫１０６への硬貨Ｋ１の搬送処理の完了検知条件は、指示（設定）した金種および枚数の搬送終了にて完了する。搬送終了のための金種および枚数は、繰出計数部８２により計数される。繰り出したすべての硬貨Ｋ１の貯留庫１０６への排出が完了した場合には、ステップＳ１１に処理が進む。
【００８３】
ステップＳ１１において、制御部７により、繰出処理がオーバーフロー処理である場合には、ステップＳ６に処理が進むように判断される。そして、ステップＳ６において、制御部７により、硬貨Ｋ１の繰出処理（オーバーフロー処理）が完了した旨が表示部１０５に表示される。以上で硬貨Ｋ１の繰出処理（オーバーフロー処理）が完了する。
【００８４】
ステップＳ１１において、制御部７により、繰出処理が回収処理である場合には、ステップＳ１２に処理が進むように判断される。
【００８５】
次に、ステップＳ１２において、制御部７により、装着検知部８４ｂを用いて貯留庫１０６が硬貨Ｋ１を貯留する装着位置に位置するか否かが判断される。すなわち、貯留庫１０６が収納庫４から繰り出された硬貨Ｋ１を受け取るための所定位置に配置されているか否かが判断される。貯留庫１０６が装着位置に位置しない場合には、ステップＳ１２が繰り返され、装着位置に位置する場合には、ステップＳ１３に処理が進む。
【００８６】
次に、ステップＳ１３において、制御部７により、残留検知部８４ａを用いて貯留庫１０６内に硬貨Ｋ１が残留しているか否かが判断される。すなわち、ステップＳ１２およびステップＳ１３によって、貯留庫１０６が筐体１００ａから引き出されて（取り外されて）、貯留庫１０６から硬貨Ｋ１が取り出されたか否かが判断される。貯留庫１０６内に硬貨Ｋ１が残留している場合には、ステップＳ１２に処理が戻る。貯留庫１０６内に硬貨Ｋ１が残留していない場合には、ステップＳ６に処理が進む。なお、回収処理により回収される硬貨Ｋ１の枚数は、回収処理を開始する際に指示した枚数（もしくは予め設定された回収処理の際に排出される所定枚数）と、回収処理を開始した時点で既に貯留庫１０６に貯留されている枚数との合計である。回収処理を開始した時点で既に貯留庫１０６に貯留されている硬貨Ｋ１は、ゼロ枚である場合もある。また、硬貨Ｋ１が貯留庫１０６から回収されて、貯留庫１０６内に硬貨Ｋ１が残留していない場合には、貯留庫１０６に貯留されている金種毎の枚数が０クリア（ゼロ枚に設定）される。そして、ステップＳ６において、制御部７により、硬貨Ｋ１の繰出処理（回収処理）が完了した旨が表示部１０５に表示される。以上で硬貨Ｋ１の繰出処理（回収処理）が完了する。
【００８７】
（第１実施形態の効果）
第１実施形態では、以下のような効果を得ることができる。
【００８８】
第１実施形態では、上記のように、収納庫４から硬貨Ｋ１が貯留庫１０６に排出され、貯留庫１０６からの硬貨Ｋ１の回収が完了したことを検知する回収処理完了検知部８４を設ける。これにより、回収処理完了検知部８４によって、貯留庫１０６からの硬貨Ｋ１の回収が完了した状態を硬貨処理装置１００が認識することができるので、貯留庫１０６からの硬貨Ｋ１の回収が完了したことに基づいて回収処理を完了させることができる。その結果、回収処理により貯留庫１０６に排出された硬貨Ｋ１と、回収処理以外の処理により貯留庫１０６に排出された硬貨Ｋ１とが混ざり合うのを抑制することができる。
【００８９】
また、第１実施形態では、上記のように、回収処理完了検知部８４は、貯留庫１０６内に硬貨Ｋ１が残留しているか否かを検知する残留検知部８４ａを含む。これにより、残留検知部８４ａにより、回収処理を開始する時点で、貯留庫１０６に硬貨Ｋ１が残留している状態が発生することを防止することができる。また、残留検知部８４ａにより、貯留庫１０６内に硬貨Ｋ１が残留していることを検知することができるので、貯留庫１０６内に硬貨Ｋ１がない状態で回収処理を完了することができる。その結果、回収処理により貯留庫１０６に排出された硬貨Ｋ１と、回収処理以外の処理により貯留庫１０６に排出された硬貨Ｋ１とが混ざり合うのを防止することができる。すなわち、回収処理における貯留庫１０６からの硬貨Ｋ１の回収漏れを防止することができる。
【００９０】
また、第１実施形態では、上記のように、回収処理完了検知部８４は、貯留庫１０６が硬貨Ｋ１を貯留する装着位置に位置することを検知する装着検知部８４ｂを含む。これにより、装着検知部８４ｂにより、貯留庫１０６が装着位置にない状態で回収処理が完了するのを防止することができる。その結果、次回の回収処理などにおいて、収納庫４から繰り出された硬貨Ｋ１を、確実に貯留庫１０６内に排出して貯留することができる。
【００９１】
また、第１実施形態では、上記のように、回収処理を行う制御部７をさらに備え、制御部７は、回収処理において、収納庫４から硬貨Ｋ１を貯留庫１０６に排出するとともに、回収処理完了検知部８４により、貯留庫１０６が装置本体の装着位置に装着され、かつ、貯留庫１０６に硬貨Ｋ１がないことが検知されたことに基づいて、回収処理が完了したと判断するように構成されている。これにより、制御部７による制御の下、回収処理により貯留庫１０６に排出された硬貨Ｋ１と、回収処理以外の処理により貯留庫１０６に排出された硬貨Ｋ１とが混ざり合うのを防止することができるとともに、貯留庫１０６が装着位置にない状態で回収処理が完了するのを防止することができる。
【００９２】
また、第１実施形態では、上記のように、制御部７は、回収処理とは別に、オーバーフロー処理を行うように構成され、オーバーフロー処理において、収納庫４に収納された硬貨Ｋ１が略満杯となるような第１枚数以上に達した場合に、第１枚数以上に達した金種の硬貨Ｋ１を、収納庫４から貯留庫１０６に排出することによりオーバーフロー処理が完了したと判断するように構成されている。これにより、制御部７による制御の下、オーバーフロー処理を回収処理とは異なるタイミングで完了させることができる。すなわち、貯留庫１０６から硬貨Ｋ１が回収されたことに基づいて完了する回収処理とは異なり、オーバーフロー処理では、貯留庫１０６に硬貨Ｋ１を残した状態で処理を完了させることができる。
【００９３】
また、第１実施形態では、上記のように、収納庫４の上流側に配置され、入金口１０１に入金された硬貨Ｋ１の金種を判別するとともに、判別した硬貨Ｋ１を計数する検銭部１ａをさらに備え、制御部７は、検銭部１ａにおいて計数した硬貨Ｋ１を収納庫４に収納すると、収納庫４に収納されている硬貨Ｋ１が第１枚数よりも多い所定の第２枚数以上になる場合に、収納庫４を介することなく貯留庫１０６に硬貨Ｋ１を排出するように構成されている。これにより、第１枚数を超える硬貨Ｋ１が収納庫４に収納されること、または、収納庫４の収納可能な限度を超えるような硬貨Ｋ１が収納庫４に搬送されるのを防止することができる。
【００９４】
また、第１実施形態では、上記のように、制御部７は、回収処理とは別に、オーバーフロー処理を行うように構成され、オーバーフロー処理において、指定された所定枚数の金種の金銭を、収納庫４から貯留庫１０６に排出することによりオーバーフロー処理が完了したと判断するように構成されている。これにより、制御部７による制御の下、オーバーフロー処理を回収処理とは異なるタイミングで完了させることができる。また、収納庫４から貯留庫１０６に金銭を排出する途中でオーバーフロー処理が完了するのを防止することができる。
【００９５】
また、第１実施形態では、上記のように、収納庫４からの硬貨Ｋ１の繰り出しを開始してから、貯留庫１０６からの硬貨Ｋ１の回収が完了したことを回収処理完了検知部８４が検知するまでの間に渡って、回収処理に関する所定の表示を行う表示部１０５をさらに備える。これにより、表示部１０５により、回収処理が完了していないことをユーザが容易に把握することができる。
【００９６】
［第２実施形態］
図７を参照して、第２実施形態について説明する。この第２実施形態では、硬貨Ｋ１を扱う硬貨処理装置１００に貯留庫１０６を設けた上記第１実施形態とは異なり、紙幣Ｋ２を扱う紙幣処理装置２００に貯留庫１０６を設ける例について説明する。図中において、上記第１実施形態と同様の構成の部分には、同一の符号を付している。なお、紙幣Ｋ２は、特許請求の範囲の「金銭」の一例である。また、紙幣処理装置２００は、特許請求の範囲の「金銭処理装置」の一例である。
【００９７】
図７に示す本発明の第２実施形態による紙幣処理装置２００は、紙幣搬送部２０１と、収納庫４（２０４ａおよび２０４ｂ）と、貯留庫２０６とを備えている。
【００９８】
紙幣搬送部２０１は、収納庫２０４ａおよび２０４ｂのそれぞれと、入金口１０１、出金口１０３および貯留庫２０６とを接続することにより、紙幣Ｋ２を搬送可能に構成されている。
【００９９】
収納庫２０４ａは、入金口１０１から入金された千円の紙幣Ｋ２を収納するように構成されている。収納庫２０４ａは、入金口１０１から入金された千円の紙幣Ｋ２以外の紙幣（二千円の紙幣Ｋ２、五千円の紙幣Ｋ２、一万円の紙幣Ｋ２）を収納するように構成されている。
【０１００】
貯留庫２０６は、筐体１００ａから取り外し可能に構成されている。貯留庫２０６は、開閉可能な扉部２０６ａを含んでおり、扉部２０６ａを開くことにより、貯留庫２０６内から紙幣Ｋ２を取り出すことが可能に構成されている。なお、扉部２０６ａを開いて紙幣Ｋ２を取り出す場合、装着検知部８４ｂは、貯留庫２０６が装着位置に位置することを検知している状態にある。
【０１０１】
残留検知部８４ａは、たとえば、紙幣Ｋ２に光を照射して、その反射光により紙幣Ｋ２の残留を検知するように構成されている。
【０１０２】
紙幣処理装置２００は、装着検知部８４ｂにより貯留庫２０６が装着位置に位置することが検知され、かつ、残留検知部８４ａにより紙幣Ｋ２が貯留庫１０６内に残留していないことが検知されることにより、回収処理を完了するように構成されている。
【０１０３】
（第２実施形態の効果）
第２実施形態では、以下のような効果を得ることができる。
【０１０４】
第２実施形態では、上記第１実施形態と同様に、収納庫４から紙幣Ｋ２が貯留庫２０６に排出され、貯留庫２０６からの紙幣Ｋ２の回収が完了したことを検知する回収処理完了検知部８４を設ける。これにより、回収処理により貯留庫２０６に排出された紙幣Ｋ２と、回収処理以外の処理により貯留庫２０６に排出された紙幣Ｋ２とが混ざり合うのを抑制することができる。
【０１０５】
［変形例］
今回開示された実施形態は、全ての点で例示であり制限的なものではないと考えられるべきである。本発明の範囲は上記実施形態の説明ではなく特許請求の範囲によって示され、さらに特許請求の範囲と均等の意味および範囲内での全ての変更（変形例）が含まれる。
【０１０６】
たとえば、上記第１および第２実施形態では、回収処理完了検知部が残留検知部および装着検知部の両方を含む例を示したが、本発明はこれに限られない。本発明では、回収処理完了検知部が残留検知部および装着検知部の一方のみを含んでいてもよい。なお、金銭処理装置が装着検知部の一方のみを含む場合、金銭処理装置は、貯留庫への硬貨の排出が完了した後、装着検知部により、貯留庫の装着位置からの移動を検知し、さらに、貯留庫の装着位置への復帰を検知することにより、回収処理を完了するように構成されていてもよい。
【０１０７】
また、上記第１および第２実施形態では、金銭処理装置を、日本円の金銭を収納可能なように構成した例を示したが、本発明はこれに限られない。本発明では、金銭処理装置を、日本円以外の金銭を収納可能に構成してもよい。
【０１０８】
また、上記第１および第２実施形態では、ユーザに対して表示部により金銭処理装置が各種処理を行っていることを通知した例を示したが、本発明はこれに限られない。本発明では、ユーザに対して音声発生部により金銭処理装置が各種処理を行っていることを通知してもよい。
【０１０９】
また、上記第１および第２実施形態では、説明の便宜上、制御部の金銭処理装置に関する制御処理を、処理フローに沿って順番に処理を行う「フロー駆動型」のフローチャートを用いて説明したが、本発明はこれに限られない。本発明では、制御部の処理を、イベント単位で処理を実行する「イベント駆動型（イベントドリブン型）」の処理により行ってもよい。この場合、完全なイベント駆動型で行ってもよいし、イベント駆動およびフロー駆動を組み合わせて行ってもよい。
【符号の説明】
【０１１０】
１ａ  検銭部（判別計数部）
４  収納庫
５ｂ  第２出金切換ゲート（切換ゲート）
７  制御部
８４  回収処理完了検知部
８４ａ  残留検知部
８４ｂ  装着検知部
１００  硬貨処理装置（金銭処理装置）
１０１  入金口
１０３  出金口
１０５  表示部
１０６、２０６  貯留庫
２００  紙幣処理装置（金銭処理装置）
Ｋ１  硬貨（金銭）
Ｋ２  紙幣（金銭）
【図１】
2019128913.tif 000003
【図２】
2019128913.tif 000004
【図３】
2019128913.tif 000005
【図４】
2019128913.tif 000006
【図５】
2019128913.tif 000007
【図６】
2019128913.tif 000008
【図７】
2019128913.tif 000009